(57)【要約】      （修正有）【課題】造花を生花と同じように飾り付けることができる造花用支持器を提供する。【解決手段】花器Ｐの底部に配置される受皿体１を設ける。該受皿体１の上方に設置される枠体２を設ける。該枠体２に装着され造花Ｑの茎部Ｑ１を挿入せしめる多数の挿入孔を有する支持体３を設ける。支持体３を枠体２に沿って高さ調整自在に設ける。受皿体１の内部に、造花Ｑの茎を絡める間隔と長さに形成された係止用突起１Ａを複数本立設する。支持体３を枠体２の上部と略中央部との複数個所に設ける。支持体３の外周囲に、枠体２の支持枠にスライド自在に連結せしめる連結部を設ける。【選択図】図１
0003150648.tif 000002
【実用新案登録請求の範囲】
【請求項１】
花器の底部に配置される受皿体と、該受皿体の上方に設置される枠体と、該枠体に装着され造花の茎部を挿入せしめる多数の挿入孔を有する支持体とからなり、該支持体を枠体に沿って高さ調整自在に設けると共に、受皿体の上面に、造花の茎部を絡める間隔と長さに形成された係止用突起を複数本立設したことを特徴とする造花用支持器。
【請求項２】
前記支持体を前記枠体の上部と略中央部との複数個所に設けた請求項１記載の造花用支持器。
【請求項３】
前記枠体は、前記受皿体に連結する略水平な環状の底枠と、該底枠から立設される複数本の支持枠と、該支持枠の上部を連結する略水平な環状の開口枠とで構成された請求項１記載の造花用支持器。
【請求項４】
前記支持体の周囲に、前記枠体の支持枠にスライド自在に連結せしめる連結部を設けた請求項１乃至３いずれか記載の造花用支持器。
【考案の詳細な説明】
【技術分野】
【０００１】
本考案は、特に造花を飾り付けるときに使用する造花用支持器に係り、造花を自由に操って生花の如く飾り付けることができる造花用支持器に関する。
【背景技術】
【０００２】
生花を活ける際に使用する花受けや活花受器について数多く提案されているが、造花を飾り付けるための専用の花受け等についての提案はこれまで成されていない。特許文献１及び特許文献２に記載されている花受けや活花受器についても生花を活けるための花器として提案されている。
【０００３】
特許文献１の花受けによると、脚体を垂設した枠体に、網状の上部花棚と下部花受棚とを二段に架設し、脚体の下に吸盤等の据付体を付設した構成が記載されている。
【０００４】
特許文献２の活花受器には、剣山を収納する筒体を形成し、この筒体の下部に柔軟材で形成した背の低い支承筒を嵌合し、この支承筒に通水孔を設けると共に、支承筒の周囲に剣山支承底壁を形成した活花受器が記載されている。
【先行技術文献】
【特許文献】
【０００５】
【特許文献１】実開平６‐５５６６号公報
【特許文献２】特開平９−９４１４４号公報
【考案の概要】
【考案が解決しようとする課題】
【０００６】
特許文献１及び特許文献２に記載された花受けや活花受器は、いずれも生花を活けるために構成されたものである。ところが、造花は生花に比べて茎の長さが比較的長めに形成されている。しかも、生花は、必要な長さに茎を切断して活けることができるのに対して造花の茎は針金などを芯材として強靭に形成されているので、切断ではなく折り曲げて使用することが多い。
【０００７】
そのため、特許文献１の花受けや特許文献２の活花受器などを用いて造花を飾り付ける場合、長めの茎を折り曲げて飾り付けることになる。この場合、生花では茎の根本を剣山に挿し込んで固定することができるが、造花では強靭な茎を剣山に挿し込んで固定することができないので、飾り付けが不安定にならざるを得なかった。
【０００８】
しかも、造花は花の荷重が重くなることが多く、茎がしっかり固定されていないと花の重さで茎が回転し、思い通りに飾り付けをすることができなくなる不都合も生じていた。
【０００９】
そこで本考案は、上述の課題を解消すべく案出されたもので、造花を生花と同じように飾り付けることができる造花用支持器の提供を目的とするものである。
【課題を解決するための手段】
【００１０】
上述の目的を達成すべく本考案における第１の手段は、花器Ｐの底部に配置される受皿体１と、該受皿体１の上方に設置される枠体２と、該枠体２に装着され造花Ｑの茎部Ｑ１を挿入せしめる多数の挿入孔３Ａを有する支持体３とからなり、該支持体３を枠体２に沿って高さ調整自在に設けると共に、受皿体１の上面に、造花Ｑの茎部Ｑ１を絡める間隔と長さに形成された係止用突起１Ａを複数本立設したことにある。
【００１１】
第２の手段は、前記支持体３を前記枠体２の上部と略中央部との複数個所に設けたものである。
【００１２】
第３の手段の前記枠体２は、前記受皿体１に連結する略水平な環状の底枠２Ａと、該底枠２Ａから立設される複数本の支持枠２Ｂと、該支持枠２Ｂの上部を連結する略水平な環状の開口枠２Ｃとで構成されている。
【００１３】
第４の手段は、前記支持体３の周囲に、前記枠体２の支持枠２Ｂにスライド自在に連結せしめる連結部３Ｂを設けたことを課題解消のための手段とする。
【考案の効果】
【００１４】
本考案の請求項１の如く、支持体３を枠体２に沿って高さ調整自在に設けると共に、受皿体１の上面に、造花Ｑの茎を絡める間隔と長さに形成された係止用突起１Ａを複数本立設したことにより、造花を生花と同じように飾り付けることができるようになった。
【００１５】
すなわち、造花Ｑの茎部Ｑ１を絡める間隔と長さに形成された係止用突起１Ａを複数本立設したことで、剣山に固定することが困難な茎部Ｑ１をこの係止用突起１Ａに絡めて容易に固定することができる。
【００１６】
しかも、造花Ｑの茎部Ｑ１を挿入せしめる多数の挿入孔３Ａを有する支持体３を枠体２に沿って高さ調整自在に設けているので、造花Ｑの強靭な茎部Ｑ１でも自由な位置や高さで係止することが可能になり、この結果、造花を生花と同じように飾り付けることができるものである。
【００１７】
請求項２の如く、支持体３を前記枠体２の上部と略中央部との複数個所に設けることで茎部Ｑ１の太さや長さが異なった多種類の造花Ｑを飾り付ける場合でも、各茎部Ｑ１の太さや長さに合った最適な位置で支持体３に係止できるので生花を活ける如く造花を飾り付けることが可能になった。
【００１８】
請求項３により、前記枠体２は、前記受皿体１に連結する略水平な底枠２Ａと、該底枠２Ａから立設される複数本の支持枠２Ｂと、該支持枠２Ｂの上部を連結する略水平な開口枠２Ｃとで構成されているので、枠体２が極めてシンプルな構成になっている。このため花器Ｐの内部に支持体３を設置する作業が極めて容易になり、支持体３に造花Ｑを飾り付けた状態で花器Ｐの内部に設置することができる。
【００１９】
請求項４の如く、前記支持体３の周囲に、前記枠体２の支持枠２Ｂにスライド自在に連結せしめる連結部３Ｂを設けることで、造花Ｑの茎部Ｑ１を挿入孔３Ａに挿し込んで、この造花Ｑを飾り付けしながら支持体３をスライド移動することができる。したがって、より最適な位置で茎部Ｑ１を支持することができる。
【図面の簡単な説明】
【００２０】
【図１】本考案の一実施例を示す使用状態の正断面図である。
【図２】本考案の一実施例を示す分解斜視図である。
【図３】本考案の一実施例を示す正面図である。
【図４】本考案の他の実施例を示す正面図である。
【図５】本考案の他の実施例を示す正面図である。
【考案を実施するための形態】
【００２１】
このように本考案によると、造花を生花と同じように飾り付けることができるといった目的を実現した。
【実施例１】
【００２２】
以下、本考案の一実施例を説明する。本考案支持器の基本構成は、受皿体１、枠体２、支持体３にて構成される（図１参照）。
【００２３】
受皿体１は、花器Ｐの底部に配置される略板状を成し、該受皿体１の上面に、針状又は棒状等の係止用突起１Ａを複数本立設している（図２参照）。図示の受皿体１は皿上を成しているが、平坦な板状でもよい。係止用突起１Ａは略線状の部材で、造花Ｑの茎部Ｑ１を絡める間隔と長さに形成されている（図１参照）。すなわち、造花Ｑの茎部Ｑ１の長さを調整するには、茎部Ｑ１を切断するのではなく、茎部Ｑ１を折り曲げて調整する。そのため、係止用突起１Ａは、この折り曲げた茎部Ｑ１を絡めることができる間隔と長さに形成するものである。
【００２４】
したがって係止用突起１Ａの間隔は、剣山の針の間隔よりも数倍広く、係止用突起１Ａの長さも、剣山の針のおよそ２倍以上の長さを有するものである。また、係止用突起１Ａの先端は剣山の針のように尖らす必要はなく、係止用突起１Ａに茎部Ｑ１を絡める際に、手指を傷付けないように、先端を平坦に形成し（図１参照）、又は丸みを有するのが好ましい。あるいは先端に膨らみを形成してもよい。また、係止用突起１Ａは、屈曲した線状でもよい。更に、係止用突起１Ａは、図１に示す如く、受皿体１に直接固定する他、前側面１と別体に形成して剣山のように皿状の受皿体１に収納することも可能である（図示せず）。
【００２５】
枠体２は、該受皿体１の上方に設置される部材で、底枠２Ａ、支持枠２Ｂ、開口枠２Ｃにて構成されている（図２参照）。底枠２Ａは、受皿体１に連結する略水平な環状を成す。支持枠２Ｂは、この底枠２Ａから立設される複数本の略棒状の部材で、この支持枠２Ｂの上部を連結する略水平な環状部材を開口枠２Ｃとしている。図示例では、底枠２Ａや開口枠２Ｃの形状を円形に形成しているが、環状であれば矩形状や多角形状に形成してもよい（図示せず）。
【００２６】
また、図示の枠体２は、受皿体１の内部に支持枠２Ｂの下端部を挿入して固定する状態を示しているが、枠体２と受皿体１との連結手段は任意に設定できる。例えば、受皿体１の周囲を囲むように立設する枠体２であってもよい。この場合、受皿体１の周囲に枠体２が嵌合して固定する他、受皿体１と枠体２とを連結せずに別体で配置することも可能である。
【００２７】
支持体３は、該枠体２に装着される略平板状又は網目状の部材で、この支持体３に、造花Ｑの茎部Ｑ１を挿入せしめる多数の挿入孔３Ａを有するものである（図２参照）。図示例の支持体３は、多数のリングが連続形成されたものであるが、この他、網目状の支持体３や、板体に挿入孔３Ａを開穿した支持体３などに形成することが可能であり、造花Ｑの茎部Ｑ１を挿し込み係止できる部材であればよい。
【００２８】
また、支持体３は、枠体２に沿って高さ調整自在に設けられている。図示例の支持体３は、支持体３を複数個使用し、枠体２の上部と略中央部との複数個所に配してする（図３参照）。こうすることで、太さや長さが異なった多数の茎部Ｑ１を支持することが可能になる。
【００２９】
また、小ぶりの枠体２を使用する場合など１個の使用でもよい（図５参照）。図５に示す支持体３は、開口枠２Ｃの上に載置した状態で使用しているが、必要に応じて開口枠２Ｃの下に支持体３を移動させることも可能である。
【００３０】
更に、支持体３の周囲に、前記枠体２の支持枠２Ｂにスライド自在に連結せしめる連結部３Ｂを設けている（図２参照）。図示の連結部３Ｂは、支持枠２Ｂの側面に圧着する凹状を成しており、この連結部３Ｂを支持枠２Ｂに圧接させた状態で上下へのスライド移動を可能にしている（図３参照）。
【００３１】
また、連結部３Ｂの構成も図示例に限定されるものではなく、例えば弾性材や可撓性材からなる連結部３Ｂを支持枠２Ｂに巻き付けて装着するものでもよい（図４参照）。このような連結部３Ｂを使用することで、開口枠２Ｃが広がっている枠体２の支持枠２Ｂでも上下スライド自在に装着することが可能になる。
【００３２】
尚、本考案は図示例に限定されるものではなく、各部材等の形状、材質等は、本考案の要旨を変更しない範囲において自由に変更できるものである。
【産業上の利用可能性】
【００３３】
本考案によると、花器Ｐの大小や造花Ｑの種類、あるいは造花Ｑの茎部Ｑ１の太さや長さに対応した使用ができるものである。
【符号の説明】
【００３４】
Ｐ  花器
Ｑ  造花
Ｑ１  茎部
１  受皿体
１Ａ  係止用突起
２  枠体
２Ａ  底枠
２Ｂ  支持枠
２Ｃ  開口枠
３  支持体
３Ａ  挿入孔
３Ｂ  連結部
【図１】
0003150648.tif 000003
【図２】
0003150648.tif 000004
【図３】
0003150648.tif 000005
【図４】
0003150648.tif 000006
【図５】
0003150648.tif 000007